(57)【要約】【課題】ランバーシアン配光を示すインコヒーレント光源の射出光をホログラムによって集光させる露光装置において、遮光板等を設けることなく、ホログラムにより回折されない光による不要露光を低減することができる露光装置及び画像形成装置を提供する。【解決手段】露光装置は、基板上に形成された非干渉性の光源である複数の発光素子が少なくとも１列配列された発光素子列と、基板上に配置され複数の発光素子の各々に対応して拡散光の光路を通る第１の光波と第１の光波の光路の外側に収束する収束光の光路を通る第２の光波との干渉により複数のホログラムが記録されホログラム列が形成されたホログラム記録層とを備える。発光素子列とホログラム記録層との間に、複数の発光素子の射出光のうち第１の光波の光路の外側を通過する光を第２の光波の収束方向とは異なる方向に反射する全反射面を形成するように、隣接する層より屈折率の高い第１中間層を配置する。【選択図】図７
2011005790.tif 000002
【特許請求の範囲】
【請求項１】
基板上に形成された非干渉性の光源である複数の発光素子が少なくとも１列配列された発光素子列と、
前記基板上に配置され、前記複数の発光素子の各々に対応して、前記発光素子に対応する位置からホログラム記録層を通過する拡散光の光路を通る第１の光波と前記第１の光波の光路の外側に収束する収束光の光路を通る第２の光波との干渉により、前記第２の光波の収束により形成される集光点が前記複数の発光素子の配列方向に並ぶように、複数のホログラムが記録されホログラム列が形成された、ホログラム記録層と、
前記複数の発光素子の各々から射出された射出光のうち前記第１の光波の光路の外側を通過する光を、前記第２の光波の収束する方向とは異なる方向に反射する全反射面を形成するように、前記発光素子列と前記ホログラム記録層との間に配置され、前記ホログラム記録層側に隣接する層より屈折率の高い第１中間層と、
を含む露光装置。
【請求項２】
基板上に形成された非干渉性の光源であり且つ予め定めた方向に配列された複数の発光素子を備え、前記複数の発光素子が前記予め定めた方向に沿って少なくとも１列配列された発光素子列と、
前記基板上に配置され、前記複数の発光素子の各々に対応して、前記発光素子に対応する位置からホログラム記録層を通過する拡散光の光路を通る第１の光波と前記第１の光波の光路の外側に収束する収束光の光路を通る第２の光波との干渉により、前記第２の光波の収束により形成される集光点が前記複数の発光素子が配列される前記予め定めた方向に並ぶように、複数のホログラムが記録されホログラム列が形成された、ホログラム記録層と、
前記複数の発光素子の各々から射出された射出光のうち前記第１の光波の光路の外側を通過する光を、前記第２の光波の収束する方向とは異なる方向に反射する全反射面を形成するように、前記発光素子列と前記ホログラム記録層との間に配置され、前記ホログラム記録層側に隣接する層より屈折率の高い第１中間層と、
を含む露光装置。
【請求項３】
前記第１中間層を、前記発光素子列に隣接するように配置した請求項１又は２に記載の露光装置。
【請求項４】
前記発光素子列を構成する前記複数の発光素子は、隣り合う２つの発光素子の前記基板の長さ方向に沿った間隔が予め定めた第１の間隔となるように配列されると共に、前記ホログラム列を構成する前記複数のホログラムの各々は、前記基板の長さ方向の直径が前記第１の間隔より大きい請求項１から請求項３までのいずれか１項に記載の露光装置。  
【請求項５】
前記第１中間層と前記ホログラム記録層との間に、前記第１中間層より屈折率の低い第２中間層を更に備えた請求項１から請求項４までのいずれか１項に記載の露光装置。  
【請求項６】
請求項１から請求項５までのいずれか１項に記載の露光装置と、
前記露光装置による露光により画像が記録される感光性の画像記録媒体と、
前記画像記録媒体を前記露光装置に対して相対移動させる移動手段と、
前記発光素子列の前記複数の発光素子の各々を点灯又は消灯するように駆動する駆動手段と、
画像情報に基づいて、前記画像記録媒体が前記基板の長さ方向と交差する方向に副走査されるように、前記移動手段及び前記駆動手段を制御する制御手段と、
を備えた画像形成装置。
【発明の詳細な説明】
【技術分野】
【０００１】
本発明は、露光装置及び画像形成装置に関する。
【背景技術】
【０００２】
特許文献１には、レーザ光源からのレーザ光をスポット状のビームに変換するスイッチング素子と、そのビームを収束させるホログラム素子とを、１対１に対応して複数個存在させたことを特徴とする印字装置が記載されている。
【０００３】
特許文献２には、光源基板上に配列された複数の発光素子と、透過する光を回折させることにより当該光の光線束を収束させて像を結ぶ複数の回折正レンズを有する第１レンズアレイと、複数のレンズを有し、前記複数の発光素子の各々との間に前記第１レンズアレイを挟む第２レンズアレイとを備え、前記複数の回折正レンズの各々は、前記光源基板に垂直な方向において前記複数の発光素子の各々に重なっている、ことを特徴とする露光装置が記載されている。
【先行技術文献】
【特許文献】
【０００４】
【特許文献１】特開平４−２０１２７０号公報
【特許文献２】特開２００７−２３７５７６号公報
【発明の概要】
【発明が解決しようとする課題】
【０００５】
本発明の目的は、ランバーシアン配光を示すインコヒーレント光源の射出光をホログラムによって集光させる露光装置において、遮光板等を設けることなく、ホログラムにより回折されない光による不要露光を低減することができる、発光素子列方式の露光装置及び当該露光装置を用いた画像形成装置を提供することにある。
【課題を解決するための手段】
【０００６】
上記目的を達成するために各請求項に記載の発明は、下記構成を備えたことを特徴としている。
【０００７】
請求項１に記載の発明は、基板上に形成された非干渉性の光源である複数の発光素子が少なくとも１列配列された発光素子列と、前記基板上に配置され、前記複数の発光素子の各々に対応して、前記発光素子に対応する位置からホログラム記録層を通過する拡散光の光路を通る第１の光波と前記第１の光波の光路の外側に収束する収束光の光路を通る第２の光波との干渉により、前記第２の光波の収束により形成される集光点が前記複数の発光素子の配列方向に並ぶように、複数のホログラムが記録されホログラム列が形成された、ホログラム記録層と、前記複数の発光素子の各々から射出された射出光のうち前記第１の光波の光路の外側を通過する光を、前記第２の光波の収束する方向とは異なる方向に反射する全反射面を形成するように、前記発光素子列と前記ホログラム記録層との間に配置され、前記ホログラム記録層側に隣接する層より屈折率の高い第１中間層と、を含む露光装置である。
【０００８】
請求項２に記載の発明は、基板上に形成された非干渉性の光源であり且つ予め定めた方向に配列された複数の発光素子を備え、前記複数の発光素子が前記予め定めた方向に沿って少なくとも１列配列された発光素子列と、前記基板上に配置され、前記複数の発光素子の各々に対応して、前記発光素子に対応する位置からホログラム記録層を通過する拡散光の光路を通る第１の光波と前記第１の光波の光路の外側に収束する収束光の光路を通る第２の光波との干渉により、前記第２の光波の収束により形成される集光点が前記複数の発光素子が配列される前記予め定めた方向に並ぶように、複数のホログラムが記録されホログラム列が形成された、ホログラム記録層と、前記複数の発光素子の各々から射出された射出光のうち前記第１の光波の光路の外側を通過する光を、前記第２の光波の収束する方向とは異なる方向に反射する全反射面を形成するように、前記発光素子列と前記ホログラム記録層との間に配置され、前記ホログラム記録層側に隣接する層より屈折率の高い第１中間層と、を含む露光装置である。
【０００９】
請求項３に記載の発明は、前記第１中間層を、前記発光素子列に隣接するように配置した請求項１又は２に記載の露光装置である。
【００１０】
請求項４に記載の発明は、前記発光素子列を構成する前記複数の発光素子は、隣り合う２つの発光素子の前記基板の長さ方向に沿った間隔が予め定めた第１の間隔となるように配列されると共に、前記ホログラム列を構成する前記複数のホログラムの各々は、前記基板の長さ方向の直径が前記第１の間隔より大きい請求項１から請求項３までのいずれか１項に記載の露光装置である。
【００１１】
請求項５に記載の発明は、前記第１中間層と前記ホログラム記録層との間に、前記第１中間層より屈折率の低い第２中間層を更に備えた請求項１から請求項４までのいずれか１項に記載の露光装置である。
【００１２】
請求項６に記載の発明は、請求項１から請求項５までのいずれか１項に記載の露光装置と、前記露光装置による露光により画像が記録される感光性の画像記録媒体と、前記画像記録媒体を前記露光装置に対して相対移動させる移動手段と、前記発光素子列の前記複数の発光素子の各々を点灯又は消灯するように駆動する駆動手段と、画像情報に基づいて、前記画像記録媒体が前記基板の長さ方向と交差する方向に副走査されるように、前記移動手段及び前記駆動手段を制御する制御手段と、を備えた画像形成装置である。
【発明の効果】
【００１３】
本発明の各請求項に記載の発明によれば、以下の効果がある。
【００１４】
請求項１、請求項２に記載の発明によれば、ランバーシアン配光を示すインコヒーレント光源の射出光をホログラムによって集光させる露光装置において、遮光板等を設けることなく、ホログラムにより回折されない光（０次光）による不要露光を低減することができる、発光素子列方式の露光装置が提供される、という効果がある。
【００１５】
請求項３に記載の発明によれば、発光素子からの光が空気層を介することなくホログラム記録層に入射される構成となる。一般に発光部の材料の屈折率は高く（ＧａＡｓで約３．６）、屈折率が１の空気中に射出する場合の光取り出し効率は低い。発光部から第１中間層を介してホログラム記録層に入射される構成とすることで、発光部からの光取り出し効率が向上できる、という効果がある。
【００１６】
請求項４に記載の発明によれば、本発明に該当しない場合に比べて、作動距離を長くすることができる、という効果がある。
【００１７】
請求項５に記載の発明によれば、ホログラム記録層と第１中間層とが隣接していなくても、構造内に全反射面を作り込むことができる、という効果がある。
【００１８】
請求項６に記載の発明によれば、ランバーシアン配光を示すインコヒーレント光源の射出光をホログラムによって集光させる露光装置を用いた画像形成装置において、本発明に該当しない場合に比べて、コントラストの高い画像を形成できる、という効果がある。
【図面の簡単な説明】
【００１９】
【図１】本発明の実施の形態に係る画像形成装置の構成の一例を示す概略図である。
【図２】本発明の実施の形態に係る露光装置としてのＬＥＤプリントヘッドの構成の一例を示す概略斜視図である。
【図３】（Ａ）はホログラム素子の概略形状を示す斜視図であり、（Ｂ）はＬＥＤプリントヘッドの副走査方向の断面図であり、（Ｃ）はＬＥＤプリントヘッドの主走査方向の断面図である。
【図４】（Ａ）及び（Ｂ）はホログラム記録層にホログラム素子が形成される様子を示す図である。
【図５】（Ａ）及び（Ｂ）は、ホログラム素子から回折光が生成される様子を示す図である。
【図６】インコヒーレント光源のランバーシアン配光を示す概念図である。
【図７】ＬＥＤプリントヘッドと感光体ドラムとの配置関係の一例を示す断面図である。
【図８】（Ａ）〜（Ｆ）はＬＥＤプリントヘッドの製造工程を示す工程図である。
【図９】第２の実施の形態に係るＬＥＤプリントヘッドの構成の一例を示す概略斜視図である。
【図１０】（Ａ）〜（Ｄ）は中間層を構成する管状体の断面形状を示す図である。
【発明を実施するための形態】
【００２０】
以下、図面を参照して本発明の実施の形態の一例を詳細に説明する。
【００２１】
（第１の実施の形態）
＜画像形成装置＞
図１は本発明の第１の実施の形態に係る画像形成装置の構成の一例を示す概略図である。この画像形成装置は、所謂タンデム型のデジタルカラープリンタであり、各色の画像データに対応して画像形成を行う画像形成部としての画像形成プロセス部１０、画像形成装置の動作を制御する制御部３０、及び画像読取装置３と例えばパーソナルコンピュータ（ＰＣ）２等の外部装置とに接続され、これらの装置から受信された画像データに対して所定の画像処理を施す画像処理部４０を備えている。
【００２２】
画像形成プロセス部１０は、一定の間隔で並列に配置される４つの画像形成ユニット１１Ｙ、１１Ｍ、１１Ｃ、１１Ｋを備えている。画像形成ユニット１１Ｙ、１１Ｍ、１１Ｃ、１１Ｋの各々は、イエロー（Ｙ）、マゼンタ（Ｍ）、シアン（Ｃ）、黒（Ｋ）のトナー像を形成する。なお、画像形成ユニット１１Ｙ、１１Ｍ、１１Ｃ、１１Ｋを、適宜「画像形成ユニット１１」と総称する。
【００２３】
各画像形成ユニット１１は、静電潜像を形成してトナー像を担持する像担持体としての感光体ドラム１２、感光体ドラム１２の表面を所定電位で一様に帯電する帯電器１３、帯電器１３によって帯電された感光体ドラム１２を露光する露光装置としてのＬＥＤプリントヘッド(ＬＰＨ)１４、ＬＰＨ１４によって得られた静電潜像を現像する現像器１５、転写後の感光体ドラム１２表面を清掃するクリーナ１６を備えている。
【００２４】
ＬＰＨ１４は、感光体ドラム１２の軸線方向の長さと略同じ長さの長尺状のプリントヘッドである。ＬＰＨ１４には、長さ方向に沿って複数のＬＥＤがアレイ状（列状）に配列されている。ＬＰＨ１４は、その長さ方向が感光体ドラム１２の軸線方向を向くように、感光体ドラム１２の周囲に配置されている。また、本実施の形態では、ＬＰＨ１４の作動距離は長く、感光体ドラム１２の表面から数ｃｍ離間して配置されている。このため、感光体ドラム１２の周方向における占有幅が小さく、感光体ドラム１２の周囲の混雑が緩和されている。
【００２５】
また、画像形成プロセス部１０は、各画像形成ユニット１１の感光体ドラム１２にて形成された各色のトナー像が多重転写される中間転写ベルト２１、各画像形成ユニット１１の各色トナー像を中間転写ベルト２１に順次転写（一次転写）させる一次転写ロール２２、中間転写ベルト２１上に転写された重畳トナー像を記録媒体である用紙Ｐに一括転写（二次転写）させる二次転写ロール２３、及び二次転写された画像を用紙Ｐ上に定着させる定着器２５を備えている。
【００２６】
次に上記画像形成装置の動作について説明する。
まず、画像形成プロセス部１０は、制御部３０から供給された同期信号等の制御信号に基づいて画像形成動作を行う。その際に、画像読取装置３やＰＣ２から入力された画像データは、画像処理部４０によって画像処理が施され、インターフェースを介して各画像形成ユニット１１に供給される。
【００２７】
例えば、イエローの画像形成ユニット１１Ｙでは、帯電器１３により所定電位で一様に帯電された感光体ドラム１２の表面が、画像処理部４０から得られた画像データに基づいて発光するＬＰＨ１４により露光されて、感光体ドラム１２上に静電潜像が形成される。即ち、ＬＰＨ１４の各ＬＥＤが画像データに基づいて発光することで、感光体ドラム１２の表面が主走査されると共に、感光体ドラム１２が回転することで副走査されて、感光体ドラム１２上に静電潜像が形成される。形成された静電潜像は現像器１５により現像され、感光体ドラム１２上にはイエローのトナー像が形成される。同様に、画像形成ユニット１１Ｍ,１１Ｃ,１１Ｋにおいて、マゼンタ、シアン、黒の各色トナー像が形成される。
【００２８】
各画像形成ユニット１１で形成された各色トナー像は、図１の矢印Ａ方向に回動する中間転写ベルト２１上に、一次転写ロール２２により順次静電吸引されて転写される（一次転写）。中間転写ベルト２１上には、重畳されたトナー像が形成される。重畳トナー像は、中間転写ベルト２１の移動に伴って二次転写ロール２３が配設された領域（二次転写部）に搬送される。重畳トナー像が二次転写部に搬送されると、トナー像が二次転写部に搬送されるタイミングに合わせて用紙Ｐが二次転写部に供給される。
【００２９】
そして、二次転写部にて二次転写ロール２３により形成される転写電界により、重畳トナー像は搬送されてきた用紙Ｐ上に一括して静電転写される（二次転写）。重畳トナー像が静電転写された用紙Ｐは、中間転写ベルト２１から剥離され、搬送ベルト２４により定着器２５まで搬送される。定着器２５に搬送された用紙Ｐ上の未定着トナー像は、定着器２５によって熱および圧力による定着処理を受けることで用紙Ｐ上に定着される。そして定着画像が形成された用紙Ｐは、画像形成装置の排出部に設けられた排紙トレー（不図示）に排出される。
【００３０】
なお、ＬＰＨの作動距離が長い方が、感光体ドラムの周囲が混み合わず、全体として画像形成装置が小型化される。従来のＬＰＨでは、ロッドレンズのレンズアレイ端面から結像点までの光路長（作動距離）は数ｍｍ程度と短く、感光体ドラムの周囲における露光装置の占有割合が大きくなる。また、一般に、インコヒーレント光（非干渉性の光）を射出するＬＥＤを用いるＬＰＨでは、コヒーレンス性が低下してスポットぼけ（いわゆる色収差）が生じ、微小スポットを形成することは容易ではない。
【００３１】
＜ＬＥＤプリントヘッド(ＬＰＨ)の構成＞
図２は第１の実施の形態に係る露光装置としてのＬＥＤプリントヘッドの構成の一例を示す概略斜視図である。図３（Ａ）はホログラム素子の概略形状を示す斜視図であり、図３（Ｂ）はＬＥＤプリントヘッドの副走査方向の断面図であり、図３（Ｃ）はＬＥＤプリントヘッドの主走査方向の断面図である。
【００３２】
図２に示すように、ＬＥＤプリントヘッド(ＬＰＨ１４)は、複数のＬＥＤ５０を備えたＬＥＤアレイ５２と、複数のＬＥＤ５０の各々に対応して設けられた複数のホログラム素子５４を備えたホログラム素子アレイ５６と、を備えている。図２に示す例では、ＬＥＤアレイ５２は６個のＬＥＤ５０１〜５０６を備え、ホログラム素子アレイ５６は６個のホログラム素子５４１〜５４６を備えている。アレイを構成するホログラム素子の数はこれに限定されるものではない。なお、各々を区別する必要がない場合には、ＬＥＤ５０１〜５０６を「ＬＥＤ５０」と総称し、ホログラム素子５４１〜５４６を「ホログラム素子５４」と総称する。
【００３３】
複数のＬＥＤ５０の各々は、ＬＥＤ５０の各々を駆動する駆動回路（図示せず）と共に、長尺状のＬＥＤ基板５８上に実装されている。上述した通り、ＬＥＤ５０の各々は、感光体ドラム１２の軸線方向と平行な方向に沿って配列されている。ＬＥＤ５０の配列方向が「主走査方向」である。
【００３４】
また、ＬＥＤ５０の各々は、互いに隣接する２つのＬＥＤ５０の主走査方向の間隔が一定間隔となるように配列されている。この例では、個々のＬＥＤ５０が「発光点」であり、ＬＥＤ５０の主走査方向の間隔が「発光点ピッチ」である。なお、感光体ドラム１２の回転により副走査が行われるが、図２では、「主走査方向」と直交する方向を「副走査方向」として図示している。
【００３５】
ホログラム素子アレイ５６は、ＬＥＤ基板５８上に形成されたホログラム記録層６０内に形成されている。図示したように、ＬＥＤ基板５８とホログラム記録層６０との間には、透明な中間層５９が挿入されている。ここで「透明」とは、ホログラムの記録・再生に用いる波長の光に対し透過性を有することを意味する。本実施の形態では、中間層５９はＬＥＤ基板５８に密着するように形成されている。
【００３６】
また、中間層５９のホログラム記録層６０と接する表面の一部は、ＬＥＤ基板５８の基板面に対し斜めに形成されている。この部分を斜面５９ａという。斜面５９ａは、ホログラム記録層６０との界面を形成することで、ＬＥＤ５０から射出された発光光の内、ホログラム素子５４の記録に用いた参照光の光路の外側を通過する光を、感光体ドラム１２の方向とは異なる方向に反射する全反射面として形成されている。即ち、斜面５９ａの基板面に対する傾斜角度は、参照光の光路の外側を通過する光を全反射する角度とされている。この斜面５９ａにより、ホログラム素子５４では回折されないＬＥＤ５０の発光光（０次光）が遮断される。０次光の遮断動作に関しては、ＬＰＨの動作として後で詳しく説明する。
【００３７】
ホログラム記録層６０は、ホログラムを永続的に記録保持することが可能な高分子材料から構成されている。このような高分子材料としては、いわゆるフォトポリマーを用いてもよい。フォトポリマーは、光重合性モノマーのポリマー化による屈折率変化を利用してホログラムを記録する。ホログラム素子５４の各々は、ＬＥＤ５０の各々に対応して、ＬＥＤ５０と同様に主走査方向に沿って配列されている。また、ホログラム素子５４の各々は、互いに隣接する２つのホログラム素子５４の主走査方向の間隔が、上記の発光点ピッチと同じ間隔となるように配列されている。
【００３８】
図３（Ａ）及び（Ｂ）に示すように、ホログラム素子５４の各々は、ホログラム記録層６０の表面側を底面とし、ＬＥＤ５０側に向かって収束する円錐台状に形成されている。この例では円錐台状のホログラム素子について説明するが、ホログラム素子の形状はこれには限定されない。例えば、円錐、楕円錐、楕円錐台等の形状としてもよい。円錐台状のホログラム素子５４の直径は、底面で最も大きくなる。この円形の底面の直径を「ホログラム径ｒＨ」とする。ホログラム素子５４の各々は、発光点ピッチよりも大きなホログラム径ｒＨを有している。例えば、発光点ピッチは３０μｍであり、ホログラム径ｒＨは２ｍｍ、ホログラム厚さｈＨは２５０μｍである。従って、図２及び図３（Ｃ）に示すように、互いに隣接する２つのホログラム素子５４は、互いに大幅に重なり合うように形成されている。
【００３９】
複数のＬＥＤ５０の各々は、対応するホログラム素子５４側に光を射出するように、発光面をホログラム記録層６０の表面側に向けて、ＬＥＤ基板５８上に配置されている。ＬＥＤ５０の「発光光軸」は、対応するホログラム素子５４の中心（円錐台の対称軸）付近を通り、ＬＥＤ基板５８と直交する方向を向いている。図示した通り、発光光軸は、上記の主走査方向及び副走査方向の各々とも直交する。
【００４０】
ＬＥＤアレイ５２としては、種々の形態のＬＥＤアレイを用いてもよい。本実施の形態では、複数の自己走査型ＬＥＤ（ＳＬＥＤ：Self-scanning LED）が配列されたＳＬＥＤチップ（図示せず）が、複数個直列に配列されて構成されたＳＬＥＤアレイを用いる例について説明する。ＳＬＥＤチップは千鳥状に配置することもできる。ＳＬＥＤアレイは、スイッチのオン・オフを二本の信号線によって行い、各ＳＬＥＤを選択的に発光させて、データ線を共通化している。このＳＬＥＤアレイを用いることで、ＬＥＤ基板５８上での配線数が少なくて済む。
【００４１】
中間層５９は、ホログラム記録層６０より屈折率が高い材料から構成されている。このような材料としては、紫外線硬化樹脂等の高分子材料を用いてもよい。ホログラム記録層６０にホログラムが記録される前に、中間層５９が予め形成されている。一般に、ＬＥＤアレイ５２のＬＥＤ５０を構成する材料は屈折率が高い。本実施の形態では、中間層５９を構成する材料としては、ＬＥＤ５０からの光取り出し効率を向上させる観点から、ＬＥＤ５０を構成する材料との屈折率差が小さい材料が選択される。
【００４２】
中間層５９側からホログラム記録層６０に向けて照射される光について、臨界角度θｃは下記式で定義される。
θｃ＝ａｒｃｓｉｎ（ｎｈ/ｎｍｌ）
ここで「ｎｈ」はホログラムが形成されたときのホログラム記録層６０の屈折率の平均値であり、「ｎｍｌ」は中間層５９の屈折率である。例えば、フォトポリマーを用いたホログラム記録層６０にホログラムが形成されたときの屈折率ｎｈの平均値が約１．５、フルオレン系アクリル樹脂を用いた中間層５９の屈折率ｎｍ1を１．６５である場合、臨界角度θｃは６５．４°となる。この条件でＬＥＤ５０からの拡がり角が４５°以上の光を全反射させるとすると、斜面５９ａの基板面に対する傾斜角度を２０．４°（＝６５．４°−４５°）とすればよい。このとき、拡がり角４５°以上の光はホログラム記録層６０への入射角が臨界角度以上になるため全反射される。
【００４３】
このように、ホログラム記録層６０と中間層５９の屈折率差と斜面５９ａの傾斜角度を調整することで、ＬＥＤ５０からある角度以上で拡がる光が遮断される。ここで、高屈折率の中間層５９材料としては、芳香環や臭素化芳香環を含む樹脂や硫黄など原子屈折率の大きいものを含む樹脂、チタニアやジルコニアなど金属酸化物ナノ微粒子を添加した樹脂などを使用してもよい。
【００４４】
また、図示は省略するが、ＬＰＨ１４は、ホログラム素子５４で生成された回折光が感光体ドラム１２の方向に射出されるように、ハウジングやホルダー等の保持部材により保持されて、画像形成ユニット１１内の所定位置に取り付けられている。なお、ＬＰＨ１４は、調整ネジ（図示せず）等の調整手段により、回折光の光軸方向に移動可能に構成されていてもよい。ホログラム素子５４による結像位置(焦点面)が、感光体ドラム１２表面上に位置するように、上記の調整手段により調整する。また、ホログラム記録層６０上に、カバーガラスや透明樹脂等で保護層が形成されていてもよい。保護層によりゴミの付着を防止する。
【００４５】
＜ホログラム素子の記録・再生＞
次に、ホログラム素子５４の記録・再生の原理について簡単に説明する。図４（Ａ）は、ホログラム記録層にホログラム素子が形成される様子を示す図である。感光体ドラム１２の図示は省略し、結像面である表面１２Ａだけを図示する。また、ホログラム記録層６０Ａは、ホログラム素子５４が形成される前の記録層であり、符号Ａを付して、ホログラム素子５４が形成されたホログラム記録層６０と区別する。
【００４６】
図４（Ａ）に示すように、表面１２Ａに結像される回折光の光路を通るコヒーレント光が、信号光としてホログラム記録層６０Ａに照射される。同時に、ホログラム記録層６０Ａを通過する際に、発光点から所望のホログラム径ｒＨまで拡がる拡散光の光路を通るコヒーレント光が、参照光としてホログラム記録層６０Ａに照射される。コヒーレント光の照射には、半導体レーザ等のレーザ光源が用いられる。
【００４７】
信号光と参照光とは、ホログラム記録層６０Ａに対し、同じ側（ＬＥＤ基板５８が配置される側）から照射される。信号光と参照光との干渉により得られる干渉縞（強度分布）が、ホログラム記録層６０Ａの厚さ方向にわたって記録される。これにより、透過型のホログラム素子５４が形成されたホログラム記録層６０が得られる。ホログラム素子５４は、面方向及び厚さ方向に干渉縞の強度分布が記録された体積ホログラムである。
【００４８】
ＬＥＤ基板５８には、ＬＥＤアレイ５２が実装されており、このＬＥＤアレイ５２上には、中間層５９が形成されている。図４（Ａ）に示すようにして、得られたホログラム記録層６０を、中間層５９が形成されたＬＥＤ基板５８上に取り付けることで、ＬＰＨ１４が作製される。
【００４９】
なお、図４（Ａ）では、表面１２Ａが概略的に図示されているが、ホログラム径ｒＨは数ｍｍ、作動距離Ｌは数ｃｍであるから、表面１２Ａはかなり離れた位置にある。このため、ホログラム素子５４は、図示されたような円錐状ではなく、図３（Ａ）に示すように、円錐台状に形成される。また、図４（Ｂ）は、図４（Ａ）と同様に、ホログラム素子が形成される様子を示す図である。図４（Ａ）の形成方法とは異なり、信号光と参照光とが、ホログラム記録層６０Ａの表面側から照射される。即ち、位相共役波によりホログラムが記録される。この形成方法については、ＬＰＨ１４の製造方法として後で詳しく説明する。
【００５０】
図５（Ａ）及び（Ｂ）は、ホログラム素子から回折光が生成される様子を示す図である。ここでは、中間層５９の図示を省略する。図５（Ａ）に示すように、ＬＥＤ５０を発光させると、ＬＥＤ５０から射出された光は、発光点からホログラム径ｒＨまで拡がる拡散光の光路を通る。ＬＥＤ５０の発光により、ホログラム素子５４に参照光が照射されたのと略同じ状況となる。
【００５１】
図５（Ｂ）に示すように、点線で図示する参照光の照射により、実線で図示するように、ホログラム素子５４から信号光と同じ光が再生され、回折光として射出される。射出された回折光は収束して、数ｃｍの作動距離で感光体ドラム１２の表面１２Ａに結像される。表面１２Ａにはスポット６２が形成される。特に、体積ホログラムは入射角選択性及び波長選択性が高い。このため、信号光を精度よく再生して、表面１２Ａに輪郭の鮮明な微小スポットが形成される。
【００５２】
体積ホログラムやキノフォームと称される位相型のゾーンプレートは、特定波長、特定入射方向のコヒーレント光に対し、設計により理論上１００％の回折効率を得ることができる。しかしながら、このようなホログラム素子を用いても、特に、インコヒーレント光源に対しては、波長分布の広がりや出射角度の拡がりが存在するため回折効率の低下は避けられない。また、コヒーレント光源に対しても、光源の波長ばらつきや変動、ホログラム素子作製時の製造ばらつきなどによって、１００％の回折効率を実現することは困難である。回折されない０次光成分は、結像されず感光体ドラム等の画像記録媒体上への不要露光の要因となる。即ち、０次光は、集光スポットのバックグラウンドノイズ（背景雑音）となり、コントラストの高い結像性能を達成することを阻害する。０次光によるバックグラウンドノイズを低減することで、コントラストの高いスポットが形成される。
【００５３】
＜ランバーシアン配向による０次光＞
ここで、インコヒーレント光源で回折効率が低下する理由を説明する。図６はインコヒーレント光源のランバーシアン配光を示す概念図である。ここでは、中間層を備えていない例を図示する。図６に示すように、インコヒーレント光源であるＬＥＤ５０から射出される発光光７２は、発散して拡がることが知られている。この現象は「ランバーシアン配光」と称される。同じくインコヒーレント光源である電界発光素子（ＥＬ）においても、同様の現象が観測される。
【００５４】
発光光７２のうち、発光点からホログラム径ｒＨまで拡がる拡散光の光路（実線で示す）を通る光だけが、ホログラム素子５４に参照光として照射され、回折光が再生される。他の発光光７２は「迷光」として拡散する。このため、インコヒーレント光源では、回折効率が低下する。
【００５５】
本実施の形態では、図２及び図３等に図示したように、ＬＥＤ５０を構成する材料との屈折率差が小さい材料で構成された中間層５９が、ＬＥＤ基板５８に密着するように形成されている。ＬＥＤ５０の発光光は、屈折率差が小さい中間層５９に射出される。この場合、ＬＥＤ５０の「ランバーシアン配光」による出射拡がりは、発光光が空気中に射出される場合と比べると小さくなる。
【００５６】
＜ＬＰＨの動作＞
次に、上記ＬＰＨ１４の動作について簡単に説明する。
図７はＬＥＤプリントヘッドと感光体ドラムとの配置関係の一例を示す断面図である。ＬＥＤ５０を発光させると、ホログラム素子５４に参照光が照射されたのと略同じ状況となり、ホログラム素子５４から信号光と同じ光が再生され、回折光として射出される。射出された回折光は収束して、数ｃｍの作動距離で感光体ドラム１２の表面１２Ａに結像される。表面１２Ａにはスポットが形成される。
【００５７】
図７に示すように、感光体ドラム１２表面１２Ａに結像される回折光の光軸と信号光の光軸とを一致させ、信号光の光軸と参照光の光軸とが予め定めた角度θで交差するように、信号光と参照光とを干渉させてホログラム素子５４を記録しておくと、発光光軸と角度θを成す方向に回折光が射出される。
【００５８】
上述した通り、ＬＥＤ５０から射出された光の一部は、再生光として中間層５９を通過して、発光点からホログラム径ｒＨまで拡がる参照光の光路を通る。参照光の光路の外側を通過する光は、ホログラム素子５４では回折されない不要光（０次光）である。従って、本実施の形態では、これらの不要光を感光体ドラム１２の手前で遮断して、感光体ドラム１２に照射されないようにする。
【００５９】
本実施の形態では、感光体ドラム１２がこの参照光の光路の外側に位置するように、発光光軸と回折光光軸とが成す角度θを設定する。参照光の光路の外側に位置する感光体ドラム１２には、上記参照光はバックグラウンド光として照射されない。また、ホログラム記録層６０の参照光透過側には、迷光の発生を防止するため、光吸収膜等の遮光膜６８を配置する。遮光膜６８は、透過した参照光の光路上に配置される。
【００６０】
また、本実施の形態では、全反射面として斜面５９ａが設けられている。ＬＥＤ５０から射出された光の内、参照光の光路の外側を通過する光は、点線で図示したように、中間層５９を通過する際に、この斜面５９ａで感光体ドラム１２とは異なる方向に全反射され、感光体ドラム１２にはバックグラウンド光として照射されない。
【００６１】
同様に、図２に示すように、ＬＥＤアレイ５２とホログラム素子アレイ５６とを備えたＬＰＨ１４では、６個のＬＥＤ５０１〜５０６の各々から射出された各光は、対応するホログラム素子５４１〜５４６のいずれかに入射する。ホログラム素子５４１〜５４６は、入射された光を回折して回折光を生成する。ホログラム素子５４１〜５４６の各々で生成された各回折光は、その光軸が発光光軸と角度θを成す方向に射出され、感光体ドラム１２の方向に集光される。
【００６２】
射出された各回折光は、感光体ドラム１２の方向に収束して、数ｃｍ先の焦点面に配置された感光体ドラム１２の表面で結像される。即ち、複数のホログラム素子５４の各々は、対応するＬＥＤ５０から射出された光を回折して集光し、感光体ドラム１２表面に結像させる光学部材として機能する。感光体ドラム１２の表面には、各回折光による微小なスポット６２１〜６２６が、主走査方向に一列に配列されるように形成される。換言すれば、ＬＰＨ１４により、感光体ドラム１２が主走査される。なお、各々を区別する必要がない場合には、スポット６２１〜６２６を「スポット６２」と総称する。
【００６３】
＜ＬＰＨの各素子の大きさ＞
図２においては、概略的に６個のＬＥＤ５０１〜５０６が１列に配列されている例を図示したが、画像形成装置の主走査方向の解像度に応じて数千個のＬＥＤ５０が配列されている。例えば、ＳＬＥＤアレイを例に説明すると、１２８個のＬＥＤが１２００ｓｐｉ（spots per inch）間隔で配列されたＳＬＥＤチップが、５８個直列に配列されてＳＬＥＤアレイが構成されている。換算すると、１２００ｄｐｉの解像度の画像形成装置では、７４２４個のＳＬＥＤが２１μｍの間隔で配列されている。
【００６４】
集光レンズより集光してスポットを形成する場合には、スポット微小化の限界は光の回折現象に由来して決まる。集光レンズで形成されるスポットは、下記関係式から、エアリーディスクと称される。エアリーディスクの直径（スポットサイズ）φは、波長λと集光レンズの開口数ＮＡとを用いて、φ＝１．２２λ／ＮＡ（＝２．４４λＦ）で表される。従って、作動距離（≒焦点距離）をｆとすると、ｆ＝ｒＨφ／２．４４λとなる。
【００６５】
ＮＡ＝sinθ＝ｒＨ／２ｆ
Ｆ（Ｆナンバー）＝ｆ／ｒＨ
ｆ：焦点距離
ｆ＝ｒＨφ／２．４４λ
【００６６】
従来のホログラム素子アレイを用いたＬＰＨでは、複数のホログラム素子の各々は、複数のレンズをＬＥＤの各々に対応させて配列する場合と同様に、互いに重ならないように、ＬＥＤのピッチ間隔（発光点ピッチ）以下の直径で作製されている。発光点ピッチは、感光体ドラム上に形成される微小スポットの間隔（画素ピッチ）と略同じ長さであり、数十μｍである。直径が数十μｍのホログラム素子では、回折によるビームの広がり（回折限界）によって、ロッドレンズと同様に数ｍｍオーダの作動距離しか得ることができない。これに対して、本実施の形態では、発光点ピッチよりもホログラム素子の直径を大きくすることで、ｃｍオーダの作動距離を実現している。
【００６７】
例えば、従来通り、ホログラム素子の直径を発光点ピッチ以下とすると、１２００ｄｐｉの解像度では、ホログラムサイズｒＨを約２０μｍ以下にしなければならない。このとき、波長を７８０ｎｍとすると、スポットサイズφを約４０μｍまで許容したとしても、作動距離は高々４２０μｍが限界である。このように、従来技術では作動距離をｃｍオーダまで長くすることができない。
【００６８】
一方、本実施の形態のように、ホログラム素子の直径を発光点ピッチよりも大きくすると、作動距離をｃｍオーダまで長くなる。例えば、集光レンズとして機能するホログラム素子５４の直径（ホログラム径ｒＨ）を１ｍｍ以上にすることで、作動距離を１ｃｍ以上になる。例えば、後述する通り、ホログラム径ｒＨ＝２ｍｍ、ホログラム厚さｈＨ＝２５０μｍにおいて、４ｃｍの作動距離で、約４０μｍ（半値幅で約３０μｍ）のスポットサイズφとなる。
【００６９】
上述した通り、ホログラム素子の直径は１ｍｍ以上であることが好ましい。また、ホログラム素子の直径が１０ｍｍを越えると、ホログラム素子の多重度が極めて高くなるため、材料のダイナミックレンジで制限される回折効率が低下してしまうという問題が生ずる。したがって、ホログラム素子の直径は１０ｍｍ以下であることが好ましい。
【００７０】
＜ＬＰＨの製造方法＞
次に、ＬＰＨ１４の製造方法について説明する。図８（Ａ）〜（Ｅ）はＬＥＤプリントヘッドの製造工程を示す工程図である。概要はホログラム素子５４の記録・再生の原理として説明した通りである。ここでは、副走査方向の断面図を図示するので、ＬＥＤ５０及びホログラム素子５４は１個ずつしか図示されていないが、ＬＥＤアレイ５２とホログラム素子アレイ５６とを備えたＬＰＨ１４の製造工程として説明する。
【００７１】
まず、図８（Ａ）に示すように、複数のＬＥＤ５０がＬＥＤ基板５８上に実装されたＬＥＤアレイ５２を用意する。ＬＥＤ基板５８表面の周辺部に、フォトポリマーを堰き止めるための土手部６４を枠状に形成する。土手部６４は、例えば、硬化性ポリマーをホログラム記録層６０と略同じ厚さで塗布した後に、加熱や光照射により硬化させて形成する。例えば、薄い体積ホログラムを記録する場合には、ホログラム記録層６０の厚さは数百μｍ程度であり、同様に、厚さ数百μｍの土手部６４を形成する。厚い体積ホログラムを記録する場合には、ホログラム記録層６０の厚さは１ｍｍ〜１０ｍｍの範囲であり、同様に、厚さ１ｍｍ〜１０ｍｍの土手部６４を形成する。
【００７２】
次に、図８（Ｂ）に示すように、周辺部に枠状の土手部６４が形成されたＬＥＤ基板５８上に、斜面５９ａを備えた中間層５９を形成する。斜面５９ａは、例えば未硬化の中間層材料を塗布したのち、斜面形状を有する石英等の型を押し付けて成型し、中間層材料を紫外線硬化したのちに型を取り外すことによって作製することが可能である。
【００７３】
次に、図８（Ｃ）に示すように、未硬化の中間層５９Ａが形成されたＬＥＤ基板５８上に、土手部６４から溢れない程度にディスペンサからフォトポリマーを流し込んで、ホログラム記録層６０Ａを形成する。次いで、ホログラム記録層６０Ａの表面に、記録光及び再生光に対し透明な薄板状のカバーガラスを装着する等して、ホログラム記録層６０Ａ上に保護層６６を形成する。この後に、チップアライメント検査を行い、発光点である複数のＬＥＤ５０の位置を計測する。
【００７４】
次に、図８（Ｄ）に示すように、フォトポリマーからなるホログラム記録層６０Ａに、保護層６６側から信号光と参照光とを同時に照射して、ホログラム記録層６０Ａに複数のホログラム素子５４を形成する。所望の回折光の光路を逆向きに通過するレーザ光を、信号光として照射する。また、ホログラム記録層６０Ａを通過する際に、所望のホログラム径ｒＨから発光点まで収束する収束光の光路を通過するレーザ光を、参照光として照射する。即ち、図８（Ｃ）に示したように、位相共役波によりホログラムを記録する。信号光及び参照光用のレーザ光には、例えば、半導体レーザから発振される波長７８０ｎｍのレーザ光を用いる。
【００７５】
まず、上記のチップアライメント検査で得られた計測データと、ホログラム素子５４の設計値（ホログラム径ｒＨ、ホログラム厚さｈＨ）とから、レーザ光の照射位置、照射角度、拡がり角度、収束角度等、信号光及び参照光が設計される。ここで、ホログラム素子５４で生成された回折光（再生された信号光）の光軸が発光光軸と角度θを成す方向に射出され、感光体ドラム１２の方向に集光されるように、信号光が設計される。そして、設計された信号光及び参照光を照射するための書き込み光学系を配置する。
【００７６】
書き込み光学系を固定配置したままで、参照光として収束する球面波を用い、ホログラム記録層６０Ａが形成されたＬＥＤ基板５８を、信号光及び参照光に対して移動させる。参照光が複数のＬＥＤ５０の各々に順次収束するように、ＬＥＤ基板５８を発光点ピッチで移動させる。ホログラム記録層６０Ａには、球面波シフト多重により複数のホログラム素子５４が多重記録される。
【００７７】
次に、図８（Ｅ）に示すように、紫外線照射によりホログラム記録層６０Ａを全面露光する。これにより、ホログラム記録層６０Ａの光重合性モノマーを全部ポリマー化する。この定着処理によりホログラム記録層６０Ａに屈折率分布が固定される。例えば、フォトポリマーは、光重合性モノマーと別の非重合性化合物との混合物として提供される。この場合、フォトポリマーに干渉縞が照射されると、明部では光重合性モノマーがポリマー化し、光重合性モノマーに濃度勾配が生ずる。その結果、明部に光重合性モノマーが拡散して、明部と暗部とで屈折率分布が発生する。
【００７８】
上記のように全面露光して、暗部に残存する光重合性モノマーをポリマー化して重合反応を完結させ、追記や消去ができない状態とする。なお、ホログラム記録材料としては、様々な記録メカニズムに基づく方式が提案されている。光強度分布に応じた屈折率変調を記録するのに適切な材料であれば、他の材料を用いてもよい。
【００７９】
最後に、図８（Ｆ）に示すように、複数のＬＥＤ５０を順次発光させて、各ＬＥＤ５０に対応して形成されたホログラム素子５４により、所望の回折光が得られるか否かを検査する。この検査工程により全部の製造工程が終了する。
【００８０】
（第２の実施の形態）
第１の実施の形態では、高屈折率の中間層とホログラム記録層とが接しているＬＰＨの一例について説明したが、第２の実施の形態では、他の中間層（第２の中間層）を介して、高屈折率の中間層（第１の中間層）とホログラム記録層とを離間させたＬＰＨの一例について説明する。
【００８１】
図９は第２の実施の形態のＬＥＤプリントヘッドの構成の一例を示す副走査方向の断面図である。感光体ドラムとの配置関係も併せて図示する。なお、第１の実施の形態のＬＰＨ１４と同じ構成部分には同じ符号を付して説明を省略する。ＬＰＨ１４Ａは、複数のＬＥＤ５０を備えたＬＥＤアレイ５２と、複数のＬＥＤ５０の各々に対応して設けられた複数のホログラム素子５４を備えたホログラム素子アレイ５６と、を備えている。なお、副走査方向の断面図であるため、ＬＥＤ５０及びホログラム素子５４は１個ずつしか図示されていないが、ＬＰＨ１４Ａは、複数のＬＥＤ５０と複数のホログラム素子５４とを備えている。
【００８２】
複数のＬＥＤ５０の各々は、長尺状のＬＥＤ基板５８上に実装されている。ホログラム素子アレイ５６は、ＬＥＤ基板５８上に形成されたホログラム記録層６０内に形成されている。ＬＥＤ基板５８とホログラム記録層６０との間には、透明な中間層５９が挿入されている。中間層５９はＬＥＤ基板５８に密着するように形成されている。本実施の形態では、中間層５９とホログラム記録層６０との間には、透明な中間層６１が挿入されている。中間層６１は、中間層５９より屈折率が低い材料から構成されている。中間層６１は、例えば、透明な薄板状のカバーガラスや透明樹脂等、図８（Ｃ）の保護層６６と同様の材料で構成してもよい。カバーガラスを用いるとすると、中間層６１の屈折率ｎｍ２は約１．５である。
【００８３】
また、中間層５９のホログラム記録層６０と接する表面の一部には、斜面５９ａが形成されている。斜面５９ａは、中間層６１との界面を形成することで、ＬＥＤ５０から射出された発光光の内、ホログラム素子５４の記録に用いた参照光の光路の外側を通過する光を、感光体ドラム１２の方向とは異なる方向に反射する全反射面として形成されている。第１の実施の形態と同様に、斜面５９ａを設けることで０次光が遮断される。
【００８４】
中間層６１は、ＬＰＨ１４Ａの長手方向に延びた管状体とし、管状体の内部にホログラム記録層６０を保持するようにしてもよい。即ち、ホログラム記録層６０を保護セル内に収納する。管状体を長手方向に直交するように切ったときの断面形状は、図１０（Ａ）〜（Ｄ）に示すように、台形、半円形、楕円形、円形などとしてもよい。
【００８５】
中間層６１を管状体にすることで、ＬＰＨ１４Ａの製造工程が簡略化される。例えば、ＬＰＨ１４Ａの製造工程において、ホログラム記録層６０Ａを中間層６１内に保持した管状体を用い、中間層５９が形成されたＬＥＤ基板５８上にこの管状体を載せて、ホログラム記録層６０Ａにホログラムを記録してもよい。更にこのとき、中間層５９が未硬化の状態で管状体を配置し、ホログラム記録後の紫外線露光によって中間層５９の硬化を同時に行なうことも可能である。
【００８６】
（他の実施の形態）
なお、上記の実施の形態では、複数のＬＥＤを備えたＬＥＤプリントヘッドについて説明したが、ＬＥＤに代えてＥＬ等、他の発光素子を用いてもよい。発光素子の特性に応じてホログラム素子を設計すると共に、インコヒーレント光による不要露光を防止することで、インコヒーレント光を射出するＬＥＤやＥＬを発光素子として用いた場合でも、コヒーレント光を射出するＬＤを発光素子として用いた場合と同様に、輪郭が鮮明な微小スポットが形成される。
【００８７】
また、上記の実施の形態では、複数のＬＥＤが長さ方向に沿って配列されたＬＥＤアレイについて説明したが、ＬＥＤアレイ等の発光素子アレイ（アレイ光源）は、１次元アレイで構成されていてもよく、２次元アレイで構成されていてもよい。
【００８８】
また、上記の実施の形態では、球面波シフト多重により複数のホログラム素子を多重記録する例について説明したが、所望の回折光が得られる多重方式であれば、他の多重方式で複数のホログラム素子を多重記録してもよい。また、複数種類の多重方式を併用しても良い。他の多重方式としては、参照光の入射角度を変えながら記録する角度多重記録、参照光の波長を変えながら記録する波長多重記録、参照光の位相を変えながら記録する位相多重記録等が挙げられる。多重記録が可能であれば、多重記録された複数のホログラムからは、別々の回折光がクロストークなく再生される。
【００８９】
また、上記の実施の形態では、画像形成装置がタンデム型のデジタルカラープリンタであり、その各画像形成ユニットの感光体ドラムを露光する露光装置としてのＬＥＤプリントヘッドについて説明したが、露光装置により感光性の画像記録媒体を像様露光することで画像が形成される画像形成装置であればよく、上記の実施の形態の例には限定されない。例えば、画像形成装置は、電子写真方式のデジタルカラープリンタには限定されない。銀塩方式の画像形成装置や光書込み型電子ペーパー等の書き込み装置等にも本発明の露光装置を搭載してもよい。また、感光性の画像記録媒体は、感光体ドラムには限定されない。シート状の感光体や写真感光材料、フォトレジスト、フォトポリマー等の露光にも本発明の露光装置を適用してもよい。
【符号の説明】
【００９０】
２     ＰＣ
３     画像読取装置
１０   画像形成プロセス部
１１   画像形成ユニット
１２   感光体ドラム
１２Ａ 表面
１３   帯電器
１４   ＬＥＤプリントヘッド
１５   現像器
１６   クリーナ
２１   中間転写ベルト
２２   一次転写ロール
２３   二次転写ロール
２４   搬送ベルト
２５   定着器
３０   制御部
４０   画像処理部
５０   ＬＥＤ
５２   ＬＥＤアレイ
５４   ホログラム素子
５６   ホログラム素子アレイ
５８   ＬＥＤ基板
５９   中間層
５９a  斜面
６０   ホログラム記録層
６１   中間層
６２   スポット
６４   土手部
６６   保護層
７０   遮光体
７２   支持体
【図１】
2011005790.tif 000003
【図２】
2011005790.tif 000004
【図３】
2011005790.tif 000005
【図４】
2011005790.tif 000006
【図５】
2011005790.tif 000007
【図７】
2011005790.tif 000008
【図８】
2011005790.tif 000009
【図９】
2011005790.tif 000010
【図１０】
2011005790.tif 000011
【図６】
2011005790.tif 000012